(57)【特許請求の範囲】
【請求項１】
支軸(16)に軸支された一組のヒンジ片(12)(15)からなり、一片は枠(14)に他片は戸(11)に固着させて戸(11)を開閉させるヒンジであって、何れか一方のヒンジ片(15)がヒンジ台座(13)を介して枠(14)又は戸(11)に固着されるヒンジにおいて、
ヒンジ台座(13)には、ヒンジ片(15)が挿入される挿入開口部(17)と、ヒンジ台座(13)内部に形成された挿入開口部(17)の上下開口長さと同じ高さ位置の上下凸部(22)と、ヒンジ片(15)の挿入開口部(17)への挿入方向の対向部に設けられたボルト孔(18)と、挿入されたヒンジ片(15)の側面部に対応する位置にこの挿入方向に沿って設けられたガイド長孔(19)と、挿入されたヒンジ片(15)の底面部の対向部に設けられた支持ビス孔(20)とを備え、
ヒンジ台座(13)のボルト孔(18)に頚部を遊貫され、ヒンジ片(15)の先端部に設けられたネジ孔(25)に螺合する取付ボルト(23)と、
ヒンジ台座(13)のガイド長孔(19)に頚部を遊貫され、ヒンジ片(15)の側面部に設けられたネジ孔(28)に螺合するガイドビス(26)と、
挿入開口部(17)と上下凸部(22)との間の凹部下側に配され、ヒンジ台座(13)に挿入されたヒンジ片(15)の底面部を支持する支持部材(29)と、
ヒンジ台座(13)の支持ビス孔(20)に螺合され、ヒンジ片(15)の底面部を支持する支持部材(29)を支持する支持ビス(30)とを備えたことを特徴とする取付け調整可能なヒンジ。
【請求項２】
請求項１に記載された取付け調整可能なヒンジにおいて、
支持部材(29)の支持面に弾性部材が配され、
挿入されたヒンジ片(15)の底面部に凹凸加工が施されたことを特徴とする取付け調整可能なヒンジ。
【請求項３】
支軸(16') に軸支された一組のヒンジ片(12)(15') からなり、一片は枠(14)に他片は戸(11)に固着させて戸(11)を開閉させるヒンジであって、何れか一方のヒンジ片(15)がヒンジ台座(13)を介して枠(14)又は戸(11)に固着されるヒンジにおいて、
ヒンジ台座(13)には、
ヒンジ片(15')が挿入される挿入開口部(17)と、
ヒンジ台座(13)内部に形成された挿入開口部(17)の上下開口長さと同じ高さ位置の上下凸部(22)と、
ヒンジ片(15')の挿入開口部(17)への挿入方向の対向部に設けられたボルト孔(18)と、
挿入されたヒンジ片(15')の側面部に対応する位置にこの挿入方向に沿って設けられたガイド長孔(19)と、
挿入されたヒンジ片(15)の底面部の対向部に設けられた支持ビス孔(20)とを備え、
ヒンジ台座(13)のボルト孔(18)に頚部を遊貫され、ヒンジ片(15') の先端部に設けられたネジ孔(25)に螺合する取付ボルト(23)と、
ヒンジ台座(13)のガイド長孔(19)に頚部を遊貫され、ヒンジ片(15') の側面部に設けられたネジ孔(28)に螺合するガイドビス(26)と、
挿入開口部(17)と上下凸部(22)との間の凹部下側に配され、ヒンジ台座(13)に挿入されたヒンジ片(15') の底面部を支持する支持部材(29)と、
ヒンジ台座(13)の支持ビス孔(20)に螺合され、ヒンジ片(15') の底面部を支持する支持部材(29)を支持する支持ビス(30)とを備え、
何れか一方のヒンジ片(15') に一端を挿着され、他方のヒンジ片(12)に他端を回動自在に装入された支軸(16') の一方のヒンジ片(15') への挿着を任意の位置で固定する支軸固定手段を備えたことを特徴とする取付け調整可能なヒンジ。
【請求項４】
請求項３に記載された取付け調整可能なヒンジにおいて、
支軸固定手段が、何れか一方のヒンジ片(15') に一端を螺着され、他方のヒンジ片(12)に他端を回動自在に装入された支軸(16') の螺着部に係止する固定ネジ(34)であることを特徴とする取付け調整可能なヒンジ。
【発明の詳細な説明】
【０００１】
【産業上の利用分野】
本発明は、例えば門扉等の「戸」を開閉自在に門柱等の「枠」に固定することのできるヒンジに関するものであり、特に、比較的に重い門扉の取付けの際に簡便なように、ヒンジを門柱に取付けた後に、門扉の門柱に対する前後・左右の微調整が可能なヒンジに関する。
【０００２】
【従来の技術】
「戸」を「枠」に取付けるヒンジは、「戸」に取付けられる戸取付部と、「枠」に取付けられる枠取付部とからなり、この２つの取付部を軸支する支軸とからなる。
【０００３】
ところで、このようなヒンジでは、「戸」を正常な姿勢に支持するために、支軸の位置を施工現場で調整する必要がある。しかしながら、門扉のように比較的重い「戸」では、施工現場での調整が難しい現状があった。
【０００４】
そこで、施工後の微調整が可能なように工夫されたヒンジが提案されている。例えば、門柱や門扉にヒンジをネジで取り付ける場合に、ヒンジの門柱や門扉への取付ネジのネジ孔を長孔として、調整可能としたものが提案されている。また、ヒンジの取付部分を入れ子式の２つの部材として、一方の部材を門柱に固着し、入れ子式の他の部材を調整した後に２つの部材同士をビス等で固定するものも提案されている。
【０００５】
【発明が解決しようとする課題】
しかしながら、これら長孔のネジ孔を用いるものや入れ子式のものは、構造上衝撃に弱く、長期の使用に際しては調整が狂い易い等の問題があった。また、取付ネジのネジ穴を長孔としたものでは、調整を容易とする反面、長孔のネジ孔の方向のみ調整可能であり、例えば長孔の方向から門扉の上下方向の調整には不向きであった。
【０００６】
本発明は、門扉の門柱に対する前後・左右の微調整が可能であり、長期の使用に際しても調整の狂いが生じ難いヒンジを得ることを目的とする。更に、前後、左右、及び上下の調整が、門柱，門扉に直接固着したビスとは無関係に行うことができるヒンジを得ることを目的とする。
【０００７】
【課題を解決するための手段】
本請求項１に記載された発明に係る取付け調整可能なヒンジでは、支軸(16)に軸支された一組のヒンジ片(12)(15)からなり、一片は枠(14)に他片は戸(11)に固着させて戸(11)を開閉させるヒンジであって、何れか一方のヒンジ片(15)がヒンジ台座(13)を介して枠(14)又は戸(11)に固着されるヒンジにおいて、
ヒンジ台座(13)には、ヒンジ片(15)が挿入される挿入開口部(17)と、ヒンジ台座(13)内部に形成された挿入開口部(17)の上下開口長さと同じ高さ位置の上下凸部(22)と、ヒンジ片(15)の挿入開口部(17)への挿入方向の対向部に設けられたボルト孔(18)と、挿入されたヒンジ片(15)の側面部に対応する位置にこの挿入方向に沿って設けられたガイド長孔(19)と、挿入されたヒンジ片(15)の底面部の対向部に設けられた支持ビス孔(20)とを備え、
ヒンジ台座(13)のボルト孔(18)に頚部を遊貫され、ヒンジ片(15)の先端部に設けられたネジ孔(25)に螺合する取付ボルト(23)と、
ヒンジ台座(13)のガイド長孔(19)に頚部を遊貫され、ヒンジ片(15)の側面部に設けられたネジ孔(28)に螺合するガイドビス(26)と、
挿入開口部(17)と上下凸部(22)との間の凹部下側に配され、ヒンジ台座(13)に挿入されたヒンジ片(15)の底面部を支持する支持部材(29)と、
ヒンジ台座(13)の支持ビス孔(20)に螺合され、ヒンジ片(15)の底面部を支持する支持部材(29)を支持する支持ビス(30)とを備えたものである。
【０００８】
本請求項２に記載された発明に係る取付け調整可能なヒンジでは、請求項１に記載された取付け調整可能なヒンジにおいて、
支持部材の支持面に弾性部材が配され、
挿入されたヒンジ片の底面に凹凸加工が施されたものである。
【０００９】
本請求項３に記載された発明に係る取付け調整可能なヒンジでは、支軸(16') に軸支された一組のヒンジ片(12)(15') からなり、一片は枠(14)に他片は戸(11)に固着させて戸(11)を開閉させるヒンジであって、何れか一方のヒンジ片(15)がヒンジ台座(13)を介して枠(14)又は戸(11)に固着されるヒンジにおいて、
ヒンジ台座(13)には、
ヒンジ片(15')が挿入される挿入開口部(17)と、
ヒンジ台座(13)内部に形成された挿入開口部(17)の上下開口長さと同じ高さ位置の上下凸部(22)と、
ヒンジ片(15')の挿入開口部(17)への挿入方向の対向部に設けられたボルト孔(18)と、
挿入されたヒンジ片(15')の側面部に対応する位置にこの挿入方向に沿って設けられたガイド長孔(19)と、
挿入されたヒンジ片(15)の底面部の対向部に設けられた支持ビス孔(20)とを備え、
ヒンジ台座(13)のボルト孔(18)に頚部を遊貫され、ヒンジ片(15') の先端部に設けられたネジ孔(25)に螺合する取付ボルト(23)と、
ヒンジ台座(13)のガイド長孔(19)に頚部を遊貫され、ヒンジ片(15') の側面部に設けられたネジ孔(28)に螺合するガイドビス(26)と、
挿入開口部(17)と上下凸部(22)との間の凹部下側に配され、ヒンジ台座(13)に挿入されたヒンジ片(15') の底面部を支持する支持部材(29)と、
ヒンジ台座(13)の支持ビス孔(20)に螺合され、ヒンジ片(15') の底面部を支持する支持部材(29)を支持する支持ビス(30)とを備え、
何れか一方のヒンジ片(15') に一端を挿着され、他方のヒンジ片(12)に他端を回動自在に装入された支軸(16') の一方のヒンジ片(15') への挿着を任意の位置で固定する支軸固定手段を備えたものである。
【００１０】
本請求項４に記載された発明に係る取付け調整可能なヒンジでは、請求項３に記載された取付け調整可能なヒンジにおいて、
支軸固定手段が、何れか一方のヒンジ片に一端を螺着され、他方のヒンジ片に他端を回動自在に装入された支軸の螺着部に係止する固定ネジである。
【００１１】
【作用】
本発明においては、ヒンジ台座には、ヒンジ片の挿入方向の対向部に設けられたボルト孔と、挿入されたヒンジ片の側面部に挿入方向に沿って設けられたガイド長孔と、挿入されたヒンジ片の底面部の対向部に設けられた支持ビス孔とを備え；ヒンジ台座のボルト孔に頸部を遊貫され、ヒンジ片の先端部に設けられたネジ孔に螺合する取付ボルトと；ヒンジ台座のガイド長孔に頸部を遊貫され、ヒンジ片の側面部に設けられたネジ孔に螺合するガイドビスと；ヒンジ台座に挿入されたヒンジ片の底面部を支持する支持部材と；ヒンジ台座の支持ビス孔に螺合され、ヒンジ片の底面部を支持する支持部材を支持する支持ビスとを備えたものであるため、取付ボルトとガイドビスと支持ビスとを調整することにより、枠に対する戸の前後・左右の取付け位置を調整することが可能である。更に、長期の使用に際しても狂いが少ない。
【００１２】
即ち、本発明においては一つのヒンジ片は、ヒンジ台座を介して「戸」又は「枠」に取り付けられる。このヒンジ台座には、「枠」に対するヒンジの位置調整を可能とするため、幾つかの調整手段が備わっている。第１は、挿入されたヒンジ片の先端部をヒンジ台座に取り付ける取付ボルトである。取付ボルトは頸部がヒンジ台座のボルト孔に遊貫され、このボルト孔を中心にしてある程度の首振り回動が可能になっている。
【００１３】
第２に挿入されたヒンジ片の側面部に螺合するガイドビスである。ガイドビスはヒンジ台座のガイド長孔に頸部を遊貫され、ガイド長孔に沿って移動可能に配される。これにより取付ボルトの回動に伴いヒンジ片が挿入方向（即ち、ガイド長孔に沿って）の任意の位置への調整が可能である。また、好ましくはこのガイドビスはヒンジ台座のガイド長孔に遊貫される頸部が縮径し、頭部及び側部はガイド長孔の小径よりも太くなっている。これにより、ガイドビスを回動させることによりヒンジ片がガイドビスに沿って移動可能であり、この方向に調整が可能である。これにより取付ボルトの回動に伴いヒンジ片が挿入方向（即ち、ガイド長孔に沿って）の任意の位置への調整が可能である。この取付ボルトとガイドビスとにより戸の前後・左右の取付け位置を調整することが可能である。
【００１４】
本発明のヒンジにおいては、長期の使用に際しても調整が狂うことをも防止するものである。このため、取付ボルトとガイドビスとの調整を固定するように、ヒンジ台座に挿入されたヒンジ片の底面部を支持する支持部材と、これを支持する支持ビスとを備えている。即ち、門扉等の「戸」に対しては、下方に常に荷重が係り、この荷重に対して充分な抗力がなければ調整された状態を維持することができない。そのため、本発明では、ヒンジ台座に挿入されたヒンジ片の底面部を支持する支持部材と、ヒンジ台座の支持ビス孔に螺合されヒンジ片の底面部を支持する支持部材を支持する支持ビスとを備えた。
【００１５】
以上のように、ヒンジ片の先端部を取付ボルトで台座に取付け、ヒンジ片の側面をガイドビスで台座に取付け、更にヒンジ片の底面を支持部材と支持ビスとで支持するため、前後、左右の調整が容易となり、しかも戸の荷重をしっかりと支えることができ、開閉に伴う衝撃に対しても支持部材や取付ボルト及びガイドビスで抗することができるため、長期の使用に際しても調整が狂うことを防止する。
【００１６】
また、好ましくは、この支持部材のヒンジ片に当接する支持面に弾性部材が配され、当接されるヒンジ片の底面に凹凸加工が施されたものである。これにより、特に開閉に伴う衝撃等に対しても充分に抗することができる。尚、ヒンジ片に対して支持ビスの対向する上部位置に更に固定用のビス孔を設けて、上方からヒンジ片を押えても良い。
【００１７】
また、本発明では、前述の構成に加えて、更に、何れか一方のヒンジ片に一端を挿着され、他方のヒンジ片に他端を回動自在に装入された支軸の一方のヒンジ片への挿着を任意の位置で固定する支軸固定手段を備えたものである。これにより、取付ボルトとガイドビスと支持ビスと支軸とを調整することができ、更に枠に対する戸の前後・左右・上下の取付け位置を調整することが可能である。
【００１８】
即ち、前述の構成により、戸の前後・左右の取付け位置を調整することに加えて、支軸の高さ位置を調整可能としたものである。これにより、他方のヒンジ片の高さ位置を上昇又は降下させることができ、戸の上下の取付位置を微調整することが可能となる。
【００１９】
この支軸固定手段としては、支軸の取付け高さ位置を微調整できるものであれば、如何なる支軸固定手段でも採用できる。具体的には、本発明では、支軸固定手段が、何れか一方のヒンジ片に一端を螺着され、他方のヒンジ片に他端を回動自在に装入された支軸の螺着部に係止する固定ネジである。これにより、支軸の螺着は支軸固定手段により固定することができるため、長期の開閉使用に際しても、支軸の突設高さが変化することがない。
【００２０】
【実施例】
図１は本発明のヒンジの一実施例の構成を示す説明図であり、ａ図は平面図、ｂ図は正面図、ｃ図は側面図である。図２は図１に示したヒンジを構成するヒンジ片の構成を示す説明図であり、ａ図は平面図、ｂ図は正面図である。図３は図１に示したヒンジを構成するヒンジ台座の構成を示す説明図であり、ａ図は平面図、ｂ図は正面図、ｃ図は側面図である。図４は図１に示したヒンジを構成する取付ボルトの構成を示す説明図であり、ａ図は平面図、ｂ図は正面図である。図５は図１に示したヒンジを構成するガイドビスの構成を示す説明図であり、ａ図は平面図、ｂ図は正面図である。図６は図１に示したヒンジを構成する支持部材の構成を示す説明図であり、ａ図は平面図、ｂ図は正面図である。
【００２１】
図１に示す通り、門扉(11)に固着された上部ヒンジ片(12)と、ヒンジ台座(13)を介して門柱(14)に固着された下部ヒンジ片(15)とが支軸(16)で軸支されている。このヒンジ台座(13)には、下部ヒンジ片(15)が挿入される挿入開口部(17)の他にも幾つかの孔が設けられている。
【００２２】
詳しくは、図３に示す通り、下部ヒンジ片(15)の挿入方向の対向部（即ち、挿入開口部(17)の対向位置）にボルト孔(18)が設けられており、また、挿入された下部ヒンジ片(15)の側面部に対応する位置に、この挿入方向に沿った長孔のガイド長孔(19)が設けられており、更に、挿入されたヒンジ片の底面部に対応する位置に、支持ビス孔(20)が設けられ、また、この支持ビス孔(20)に対向する上部位置には、押えビス孔(21)が設けられている。
【００２３】
図３に示したヒンジ台座(13)への図２に示した下部ヒンジ片(15)の装着は、ヒンジ台座(13)の挿入開口部(17)に下部ヒンジ片(15)の支軸(16)の反対側の端部を挿入して行われる。挿入開口部(17)の上下開口長さは下部ヒンジ片(15)の挿入端部の上下長さよりも若干大きい程度であり、更に、ヒンジ台座(13)内部には、この挿入開口部(17)の上下開口長さと同じ高さ位置の上下凸部(22)が形成されている。この挿入開口部(17)の上下開口縁と上下凸部(22)とにより、挿入された下部ヒンジ片(15)は上下のがたつきが殆ど発生しない。また、挿入開口部(17)の左右開口長さは下部ヒンジ片(15)の横幅に比べて大きく形成されており、下部ヒンジ片(15)の前後への降れをある程度自由に行うことができる。
【００２４】
ヒンジ台座(13)に装着された下部ヒンジ片(15)の固着は、幾つかのボルト及びビスで行われる。一つ目は図４に示す取付ボルト(23)をヒンジ台座(13)を介して下部ヒンジ片(15)の挿入先端部に取り付ける。この取付ボルト(23)は、ヒンジ台座(13)のボルト孔(18)に挿入された後、内部から止め輪(24)で止められ、頸部を遊貫された状態に装着されている。この取付ボルト(23)を下部ヒンジ片(15)の先端部対応位置に設けられたヒンジ先端ネジ孔(25)に螺合してヒンジ台座(13)と下部ヒンジ片(15)とが固着される。これにより、下部ヒンジ片(15)はボルト孔(15)を中心にして前後に降れることができ、取付ボルト(23)のヒンジ先端ネジ孔(25)の螺合程度に応じて、左右の位置調整が可能となる。
【００２５】
下部ヒンジ片(15)のヒンジ台座(13)への固着の二つ目は、図５に示すガイドビス(26)によるものである。このガイドビス(26)は頸部にヒンジ台座(13)のガイド長孔(19)の短径よりも小さな縮径部(27)が形成され、頭部やネジ部の径はガイド長孔(19)の短径よりも大きく形成されている。ガイドビス(26)は、ガイド長孔(19)の一端部に形成された拡径部から挿入され、下部ヒンジ片(15)の側部に形成されたヒンジ側部ネジ孔(28)に螺着される。縮径部(27)がガイド長孔(19)に遊貫されているため、前述の取付ボルト(23)の螺合の程度に応じてガイド長孔(19)の長径方向に移動する。また、ガイド長孔(19)の短径が頭部やネジ部の径よりも小さいため、ガイドビス(26)の螺合程度に応じて、下部ヒンジ片(15)が前後方向の降れ具合を調整することができる。
【００２６】
以上のように、これら取付ボルト(23)とガイドビス(26)との下部ヒンジ片(15)の螺合の程度によってヒンジ台座(13)に対する下部ヒンジ片(15)の前後・左右の位置調整が可能となる。具体的な位置調整は次の通りである。
【００２７】
先ず、取付ボルト(23)がボルト孔(18)に挿入された後、内部から止め輪(24)で止められ、頸部を遊貫されたヒンジ台座(13)を門柱に取り付ける。この場合、ヒンジ台座(13)は挿入開口部(17)からの下部ヒンジ片(15)の挿入方向が水平になるように細心の注意を払う。取り付けた後に、下部ヒンジ片(15)の挿入端を挿入開口部(17)から挿入する。下部ヒンジ片(15)の先端部のヒンジ先端ネジ孔(25)に取付ボルトをねじ込みながら、下部ヒンジ片(15)を挿入していく。下部ヒンジ片(15)の側部のヒンジ側部ネジ孔(28)が、ガイド長孔(19)の拡径部に合致した時に、ガイドビス(26)をガイド長孔(19)から挿入してヒンジ側部ネジ孔(28)にネジ止めする。この状態で、取付ボルト(23)とガイドビス(26)との締め付け具合を調整してヒンジ台座(13)に対する下部ヒンジ片(15)の前後・左右の位置調整する。
【００２８】
位置調整が終了したら、この調整位置をしっかりと固定して、長期の使用に際しても狂うことがないようにする。このために、予めヒンジ台座(13)の挿入開口部(17)と上下凸部(22)との間の下方の凹部に支持部材(29)を装着し、ヒンジ台座(13)の下面に設けられた支持ビス孔(20)に支持ビス(30)を螺着して、支持部材(29)を上方に押し上げる。
【００２９】
具体的な支持部材(29)は図６に示す通り、凹形状の部材であり、上面がウレタンゴム製のゴム層(31)が形成されている。このゴム層(31)は、図２に示す下部ヒンジ片(15)の挿入部分の下面に形成された多数の溝が刻設された滑り止め部(32)に当接して、しっかりと位置調整を固定する。尚、支持部材(29)のウレタンゴム製のゴム層(31)は下部ヒンジ片(15)の滑り止め部(32)としっかり掛合すればよく、滑り止め部(32)の溝と噛み合うように溝や多数の突設を設けても良い。また、滑り止め部(32)も多数の溝を形成するものではなく、多数の突設を設けたものでもよい。
【００３０】
尚、図２に示すヒンジ台座(13)には、支持ビス孔(20)に対向する上部位置に、押えビス孔(21)が設けられている。これは左門柱及び右門柱に取付可能なように、上下が逆に取り付けられても支持ビス孔(20)として機能するためであるが、この上部の押えビス孔(21)に押えビス（図示せず）を螺着して、支持部材(29)で押し上げた後に、上方からヒンジ片を押えても良い。
【００３１】
以上のように、下部ヒンジ片(15)の先端部を取付ボルト(23)でヒンジ台座(13)に取付け、下部ヒンジ片(15)の側面をガイドビス(26)で台座に取付け、更に下部ヒンジ片(15)の底面を支持部材(29)と支持ビス(30)とで支持するため、前後、左右の調整が容易となり、しかも門扉の荷重をしっかりと支えることができ、開閉に伴う衝撃に対しても支持部材(29)や取付ボルト(23)及びガイドビス(26)で抗することができるため、長期の使用に際しても調整が狂うことが少ない。
【００３２】
また、下部ヒンジ片(15)と支軸(16)戸の取付は、図１に示すヒンジでは下部ヒンジ片(15)に一つの高さ位置で固定されているが、下部ヒンジ片(15)に対する挿着を任意の高さ位置で固定する支軸固定手段を装備させても良い。図７は別の発明のヒンジの一実施例の構成を示す説明図であり、ａ図は平面図、ｂ図は正面図、ｃ図は側面図である。図７において、図１の下部ヒンジ片(15)及び支軸(16)以外の構成は全て同等であり、従って、同一の番号を付し、これらの詳しい説明は省略する。また、図８は図７の要部の種々の構成を示す説明図である。
【００３３】
図７に示したヒンジでは、下部ヒンジ片(15') に対する支軸(16') の取付け高さ位置を微調整できるようにした。具体的には、支軸(16') の下部ヒンジ片(15') への取付けをネジ式とした。即ち、支軸(16') の下端部にネジ山を形成し、下部ヒンジ片(15') にこのネジ山と螺合するネジ溝を設け、ネジの回動具合によって、支軸(16') の高さ位置を調整可能とした。また、下部ヒンジ片(15') の側部には、支軸(16') の回動を固定する固定ネジ孔(33)を形成し、外部から支軸(16') までに固定ネジ(34)を当接して、調整を固定する。
【００３４】
尚、固定ネジ(34)と支軸(16') のネジ山との掛止は、図８のａ図に示すように、固定ネジ(34)を単に支軸(16') に当接掛止させても良いが、この場合にはネジ山が固定ネジ(34)で潰されて、一度の微調整の後は支軸(16') の高さ調節ができない場合がある。そこで、ｂ図に示す通り、支軸(16') のネジ山を１／４周期でＶ字に切断し、このＶ字に固定ネジ(34)の先端を当接させるようにする。また、ｃ図に示す通り、支軸(16') のネジ山を１／２周期で平坦に切断し、この平坦な部分に固定ネジ(34)の先端を当接させるようにする。このようにすることにより、１／４又は１／２周期で微調整が可能となり、ネジ山が潰れることがないため、何度でも微調整が可能となる。
【００３５】
以上のように、下部ヒンジ片(15') の先端部を取付ボルト(23)でヒンジ台座(13)に取付け、下部ヒンジ片(15') の側面をガイドビス(26)で台座に取付け、更に下部ヒンジ片(15)の底面を支持部材(29)と支持ビス(30)とで支持し、また、支軸(16') と下部ヒンジ片(15') とをネジ式に止め、これを固定ネジ(33)で固定するため、前後、左右、上下の調整が容易となり、しかも門扉の荷重をしっかりと支えることができ、開閉に伴う衝撃に対しても支持部材(29)や取付ボルト(23)及びガイドビス(26)で抗することができるため、長期の使用に際しても調整が狂うことが少ない。
【００３６】
【発明の効果】
本発明は以上説明したとおり、ヒンジ台座には、ヒンジ片の挿入方向の対向部に設けられたボルト孔と、挿入されたヒンジ片の側面部に挿入方向に沿って設けられたガイド長孔と、挿入されたヒンジ片の底面部の対向部に設けられた支持ビス孔とを備え；ヒンジ台座のボルト孔に頸部を遊貫され、ヒンジ片の先端部に設けられたネジ孔に螺合する取付ボルトと；ヒンジ台座のガイド長孔に頸部を遊貫され、ヒンジ片の側面部に設けられたネジ孔に螺合するガイドビスと；ヒンジ台座に挿入されたヒンジ片の底面部を支持する支持部材と；ヒンジ台座の支持ビス孔に螺合され、ヒンジ片の底面部を支持する支持部材を支持する支持ビスとを備えたものであるため、取付ボルトとガイドビスと支持ビスとを調整することにより、枠に対する戸の前後・左右の取付け位置を調整することが可能である。更に、長期の使用に際しても狂いが少ない。
【００３７】
本発明のヒンジにおいては、好ましくは、この支持部材のヒンジ片に当接する支持面に弾性部材が配され、当接されるヒンジ片の底面に凹凸加工が施されたものである。これにより、特に開閉に伴う衝撃等に対しても充分に抗することができる。尚、ヒンジ片に対して支持ビスの対向する上部位置に更に固定用のビス孔を設けて、上方からヒンジ片を押えても良い。
【００３８】
また、本発明では、前述の構成に加えて、更に、何れか一方のヒンジ片に一端を挿着され、他方のヒンジ片に他端を回動自在に装入された支軸の一方のヒンジ片への挿着を任意の位置で固定する支軸固定手段を備えたものである。これにより、取付ボルトとガイドビスと支持ビスと支軸とを調整することができ、更に枠に対する戸の前後・左右・上下の取付け位置を調整することが可能である。
【００３９】
この支軸固定手段としては、支軸の取付け高さ位置を微調整できるものであれば、如何なる支軸固定手段でも採用できる。具体的には、本発明では、支軸固定手段が、何れか一方のヒンジ片に一端を螺着され、他方のヒンジ片に他端を回動自在に装入された支軸の螺着部に係止する固定ネジである。これにより、支軸の螺着は支軸固定手段により固定することができるため、長期の開閉使用に際しても、支軸の突設高さが変化することがない等の効果を有する。
【図面の簡単な説明】
【図１】本発明のヒンジの一実施例の構成を示す説明図であり、ａ図は平面図、ｂ図は正面図、ｃ図は側面図である。
【図２】図１に示したヒンジを構成するヒンジ片の構成を示す説明図であり、ａ図は平面図、ｂ図は正面図である。
【図３】図１に示したヒンジを構成するヒンジ台座の構成を示す説明図であり、ａ図は平面図、ｂ図は正面図、ｃ図は側面図である。
【図４】図１に示したヒンジを構成する取付ボルトの構成を示す説明図であり、ａ図は平面図、ｂ図は正面図である。
【図５】図１に示したヒンジを構成するガイドビスの構成を示す説明図であり、ａ図は平面図、ｂ図は正面図である。
【図６】図１に示したヒンジを構成する支持部材の構成を示す説明図であり、ａ図は平面図、ｂ図は正面図である。
【図７】別の発明のヒンジの一実施例の構成を示す説明図であり、ａ図は平面図、ｂ図は正面図、ｃ図は側面図である。
【図８】図７の要部の種々の構成を示す説明図である。
【符号の説明】
(12)      …上部ヒンジ片、
(13)      …ヒンジ台座、
(15)(15') …下部ヒンジ片、
(16)(16') …支軸、
(17)      …挿入開口部、
(18)      …ボルト孔、
(19)      …ガイド長孔、
(20)      …支持ビス孔、
(21)      …押えビス孔、
(22)      …上下凸部、
(23)      …取付ボルト、
(24)      …止め輪、
(25)      …ヒンジ先端ネジ孔、
(26)      …ガイドビス、
(27)      …縮径部、
(28)      …ヒンジ側部ネジ孔、
(29)      …支持部材、
(30)      …支持ビス、
(31)      …ゴム層、
(32)      …滑り止め部、
(33)      …固定ネジ孔、
(34)      …固定ネジ
【図１】
0003696914.tif 000002
【図２】
0003696914.tif 000003
【図３】
0003696914.tif 000004
【図４】
0003696914.tif 000005
【図５】
0003696914.tif 000006
【図６】
0003696914.tif 000007
【図７】
0003696914.tif 000008
【図８】
0003696914.tif 000009